(57)【要約】【課題】  鍵の不正複製と、ピッキングおよび盗難鍵や紛失鍵による不正解錠を防止する。【解決手段】  鍵１０を錠２０に挿入時に、錠側接点２３はスプリング２３ａにて鍵側接点１３に押し当てられる。錠２０は、鍵１０との接触時に、錠側回路２２によって、特定の接点から鍵１０へ予め定められた電位の電圧を供給する。電源電圧を供給された鍵１０は、鍵側回路２２によって供給された電位に応じた電位の電圧を各接点に供給する。錠２０は、各接点の電位をパターンデータとして取り込んで錠側回路２２で照合し、鍵１０を認証した場合には解錠システム２５に解錠信号を発信して解錠制御を行う。鍵側回路１２と錠側回路２２の回路構成は、鍵側回路変更用接点１４を鍵接続用接点２４に接続し、回路変更システム２４ａ動作させることによって自由に変更可能である。【選択図】  図１
2005232881.tif 000002
【特許請求の範囲】
【請求項１】
一または複数の接点に予め定められた電圧をパターンデータとして出力する出力手段が設けられた鍵と、該鍵の鍵側接点からの電圧が該予め定められた電圧であるか否かをパターンデータとして照合して一致した場合に、解錠制御信号を出力制御する制御手段が設けられた錠とを有する電気錠システムであって、
該錠は、該制御手段の照合用のパターンデータを変更可能とするパターン変更手段を有する電気錠システム。
【請求項２】
前記制御回路は、電源電圧、接地電圧およびこれら以外の一または複数の特定電圧のうち少なくとも該電源電圧または特定電圧を供給する電圧供給回路と、前記鍵からのパターンデータを照合するパターンデータ照合回路とを有する請求項１に記載の電気錠システム。
【請求項３】
前記パターンデータ照合回路は前記錠に内蔵されたハードウェア回路で構成されており、前記パターン変更手段は、該錠のハードウェア回路の回路構成を変更することにより該制御手段の照合用のパターンデータを変更する請求項２に記載の電気錠システム。
【請求項４】
前記出力手段は、電源電圧および接地電圧が供給されることにより、前記予め定められた電圧をパターンデータとして出力可能とするパターンデータ出力回路を有する請求項１または２に記載の電気錠システム。
【請求項５】
前記パターンデータ出力回路は前記鍵に内蔵されたハードウェア回路で構成されており、該鍵のハードウェア回路の回路構成が変更されることにより該出力手段のパターンデータが変更される請求項４に記載の電気錠システム。
【請求項６】
前記パターンデータ照合回路およびパターンデータ出力回路のうち少なくともパターンデータ照合回路は、前記ハードウェア回路の回路構成の変更が可能なフィールドプログラマブルゲートアレイで構成されている請求項３または５に記載の電気錠システム。
【請求項７】
前記パターン変更手段は回路変更システムで構成されており、前記制御手段の照合用のパターンデータに応じて、前記出力手段のパターンデータを変更可能とする請求項１または６に記載の電気錠システム。
【請求項８】
前記出力手段の変更用接点を、前記制御手段が前記回路変更システムを介して接続された鍵接続用接点に接続することにより、該回路変更システムが、該制御手段の照合用のパターンデータに対応した回路構成に該出力手段の回路構成を変更可能とする請求項７に記載の電気錠システム。
【請求項９】
前記出力手段の変更用接点を、前記制御手段が前記回路変更システムを介して接続された鍵接続用接点に接続する場合にのみ、該回路変更システムが、該制御手段の照合用のパターンデータに対応した回路構成を変更可能とすると共に、変更した該制御手段の回路構成に該出力手段の回路構成を変更可能とする請求項７に記載の電気錠システム。
【請求項１０】
前記出力手段の変更用接点は、前記錠の鍵穴に挿入されない前記鍵の外壁部分に設けられている請求項８または９に記載の電気錠システム。
【請求項１１】
前記鍵の接点は、前記予め定められた電圧が供給される一または複数のレベル入力接点と、該レベル入力接点から供給された電圧を用いて前記パターンデータとして電圧出力する一または複数のパターン出力接点とを有する請求項１に記載の電気錠システム。
【請求項１２】
前記出力手段は、前記レベル入力接点から供給された電圧をそのままの電圧で前記パターン出力接点から前記パターンデータとして出力する請求項１１に記載の電気錠システム。
【請求項１３】
前記出力手段は、前記レベル入力接点から供給された電圧を用いて、前記パターン出力接点から前記パターンデータとして一または複数の異なる電圧を出力する請求項１１に記載の電気錠システム。
【請求項１４】
前記錠には前記鍵を挿入可能とする鍵穴が設けられ、該鍵が該鍵穴に挿入されたときに、一または複数の錠側接点から、それ毎に対応した鍵側接点に予め定められた電圧を供給可能とする請求項１に記載の電気錠システム。
【請求項１５】
前記錠には前記鍵を挿入可能とする鍵穴が設けられ、該鍵が該鍵穴に挿入されたときに、前記出力手段は、一または複数の錠側接点から、それ毎に対応した鍵側接点に電源電圧が供給され、一または複数の錠側接点から、それ毎に対応した鍵側接点に接地電圧が供給されて駆動する請求項１または４に記載の電気錠システム。
【請求項１６】
前記錠には前記鍵を挿入可能とする鍵穴が設けられ、該鍵が該鍵穴に挿入されたときに、前記出力手段から予め定められた電圧がパターンデータとして一または複数の鍵側接点から、それ毎に対応した錠側接点に供給可能とする請求項１、１４および１５のいずれかに記載の電気錠システム。
【請求項１７】
前記出力手段は、錠側接点から鍵側接点に印加された予め定められた電圧を用いて前記鍵のパターンデータを生成する請求項１、１４〜１６のいずれかに記載の電気錠システム。
【請求項１８】
前記予め定められた電圧は、電源電圧、接地電圧および、これら以外の一または複数の特定電圧のうち少なくとも該電源電圧または特定電圧である請求項１、１４〜１７のいずれかに記載の電気錠システム。
【請求項１９】
前記錠は、前記制御手段からの解錠制御信号によって解錠動作を行う解錠手段を更に有する請求項１に記載の電気錠システム。
【発明の詳細な説明】
【技術分野】
【０００１】
本発明は、鍵と錠とを含む電気錠システムに関する。
【背景技術】
【０００２】
従来の鍵としては、形状や構造は様々であるものの、一般に、錠の鍵穴に鍵を差し込んで施錠・解錠するシリンダ錠が用いられている。しかしながら、従来のシリンダ錠には、ピッキングや鍵の複製による不正解錠の問題がある。
【０００３】
このような従来のシリンダ錠における不正解錠の問題を防ぐため、例えば特許文献１には、シリンダ錠のような機械的構造に加えて、電子鍵のような電気的構造を取り入れた錠前用シリンダが開示されている。この錠前用シリンダは、外筒部材内に鍵挿入部が設けられた第１の回動部材と、錠本体の施解錠機構に連結される第２の回動部材とが設けられ、電気信号に応答して第１の回動部材と第２の回動部材とが連結されて、鍵による施解錠機構の操作が可能になっている。この錠前用シリンダによれば、鍵の複製を困難にすることができ、さらに、挿入された鍵が正当な場合にのみ解錠が可能になるため、ピッキングによる不正解錠が防止される。
【特許文献１】特開平８−１５８７１５号公報
【発明の開示】
【発明が解決しようとする課題】
【０００４】
しかしながら、上述した特許文献１に開示されている錠前用シリンダでは、盗難鍵や紛失鍵による不正解錠を防止することはできない。したがって、このような盗難鍵や紛失鍵による不正解錠を防止するためには、鍵および錠を交換することが必要になる。
【０００５】
本発明は、上記従来の問題を解決するもので、耐ピッキング性を向上させると共に鍵複製の困難性を向上させることができ、かつ鍵の交換を必要とせずに盗難鍵や紛失鍵などによる不正解錠を防止することができる電気錠システムを提供することを目的とする。
【課題を解決するための手段】
【０００６】
本発明の電気錠システムは、一または複数の接点に予め定められた電圧をパターンデータとして出力する出力手段が設けられた鍵と、該鍵の鍵側接点からの電圧が該予め定められた電圧であるか否かをパターンデータとして照合して一致した場合に、解錠制御信号を出力制御する制御手段が設けられた錠とを有する電気錠システムであって、該錠は、該制御手段の照合用のパターンデータを変更可能とするパターン変更手段を有しており、そのことにより上記目的が達成される。
【０００７】
また、好ましくは、本発明の電気錠システムにおける制御回路は、電源電圧、接地電圧およびこれら以外の一または複数の特定電圧のうち少なくとも該電源電圧または特定電圧を供給する電圧供給回路と、前記鍵からのパターンデータを照合するパターンデータ照合回路とを有する。
【０００８】
さらに、好ましくは、本発明の電気錠システムにおけるパターンデータ照合回路は前記錠に内蔵されたハードウェア回路で構成されており、前記パターン変更手段は、該錠のハードウェア回路の回路構成を変更することにより該制御手段の照合用のパターンデータを変更する。
【０００９】
さらに、好ましくは、本発明の電気錠システムにおける出力手段は、電源電圧および接地電圧が供給されることにより、前記予め定められた電圧をパターンデータとして出力可能とするパターンデータ出力回路を有する。
【００１０】
さらに、好ましくは、本発明の電気錠システムにおけるパターンデータ出力回路は前記鍵に内蔵されたハードウェア回路で構成されており、該鍵のハードウェア回路の回路構成が変更されることにより該出力手段のパターンデータが変更される。
【００１１】
さらに、好ましくは、本発明の電気錠システムにおけるパターンデータ照合回路およびパターンデータ出力回路のうち少なくともパターンデータ照合回路は、前記ハードウェア回路の回路構成の変更が可能なフィールドプログラマブルゲートアレイで構成されている。
【００１２】
さらに、好ましくは、本発明の電気錠システムにおけるパターン変更手段は回路変更システムで構成されており、前記制御手段の照合用のパターンデータに応じて、前記出力手段のパターンデータを変更可能とする。
【００１３】
さらに、好ましくは、本発明の電気錠システムにおける出力手段の変更用接点を、前記制御手段が前記回路変更システムを介して接続された鍵接続用接点に接続することにより、該回路変更システムが、該制御手段の照合用のパターンデータに対応した回路構成に該出力手段の回路構成を変更可能とする。また、好ましくは、本発明の電気錠システムにおける出力手段の変更用接点を、前記制御手段が前記回路変更システムを介して接続された鍵接続用接点に接続する場合にのみ、該回路変更システムが、該制御手段の照合用のパターンデータに対応した回路構成を変更可能とすると共に、変更した該制御手段の回路構成に該出力手段の回路構成を変更可能とする。
【００１４】
さらに、好ましくは、本発明の電気錠システムにおける出力手段の変更用接点は、前記錠の鍵穴に挿入されない前記鍵の外壁部分に設けられている。
【００１５】
さらに、好ましくは、本発明の電気錠システムにおける鍵の接点は、前記予め定められた電圧が供給される一または複数のレベル入力接点と、該レベル入力接点から供給された電圧を用いて前記パターンデータとして電圧出力する一または複数のパターン出力接点とを有する。
【００１６】
さらに、好ましくは、本発明の電気錠システムにおける出力手段は、前記レベル入力接点から供給された電圧をそのままの電圧で前記パターン出力接点から前記パターンデータとして出力する。
【００１７】
さらに、好ましくは、本発明の電気錠システムにおける出力手段は、前記レベル入力接点から供給された電圧を用いて、前記パターン出力接点から前記パターンデータとして一または複数の異なる電圧を出力する。
【００１８】
さらに、好ましくは、本発明の電気錠システムにおける錠には前記鍵を挿入可能とする鍵穴が設けられ、該鍵が該鍵穴に挿入されたときに、一または複数の錠側接点から、それ毎に対応した鍵側接点に予め定められた電圧を供給可能とする。
【００１９】
さらに、好ましくは、本発明の電気錠システムにおける錠には前記鍵を挿入可能とする鍵穴が設けられ、該鍵が該鍵穴に挿入されたときに、前記出力手段は、一または複数の錠側接点から、それ毎に対応した鍵側接点に電源電圧が供給され、一または複数の錠側接点から、それ毎に対応した鍵側接点に接地電圧が供給されて駆動する。
【００２０】
さらに、好ましくは、本発明の電気錠システムにおける錠には前記鍵を挿入可能とする鍵穴が設けられ、該鍵が該鍵穴に挿入されたときに、前記出力手段から予め定められた電圧がパターンデータとして一または複数の鍵側接点から、それ毎に対応した錠側接点に供給可能とする。
【００２１】
さらに、好ましくは、本発明の電気錠システムにおける出力手段は、錠側接点から鍵側接点に印加された予め定められた電圧を用いて前記鍵のパターンデータを生成する。
【００２２】
さらに、好ましくは、本発明の電気錠システムにおける予め定められた電圧は、電源電圧、接地電圧および、これら以外の一または複数の特定電圧のうち少なくとも該電源電圧または特定電圧である。
【００２３】
さらに、好ましくは、本発明の電気錠システムにおける錠は、前記制御手段からの解錠制御信号によって解錠動作を行う解錠手段を更に有する。
【００２４】
上記構成により、以下に、本発明の作用について説明する。
【００２５】
本発明にあっては、パターン変更手段（回路変更システム）から制御手段および出力手段のうち少なくとも制御手段に書き換え制御用信号（信号電圧）を供給することにより、制御手段および出力手段のうちの少なくとも制御手段の回路構成を変更してパターンデータを自由に変更することができる。これにより、盗難鍵や紛失鍵などを無効にして不正解錠を防止することができる。
【００２６】
錠におけるパターンデータは、鍵のパターンデータと同時に変更する場合にのみ変更可能とすることによって、解錠可能な鍵が存在しないという状態が発生することを防止することができる。
【００２７】
鍵のパターンデータは、鍵に内蔵されたハードウェア回路の回路構成で決定することによって、鍵のパターンデータの不正読み取りを困難にすることができる。また、錠は、パターンデータの照合を錠に内蔵されたハードウェア回路の回路構成で行うことによって、錠のパターンデータの不正読み取りを困難にすることができる。
【００２８】
鍵のパターンデータの変更は、鍵に内蔵されたハードウェア回路の回路構成を変更することによって、鍵のパターンデータの不正読み取りを困難にすることができると共に、鍵のパターンデータの複雑性を高めることができる。また、錠のパターンデータの変更は、錠に内蔵されたハードウェア回路の回路構成を変更することで行うことによって、錠のパターンデータの不正変更を防止することができる。
【００２９】
照合用接点による接触と書き換え制御用接点による接触とが同時に発生しなように、照合時に書き換え制御用接点を接触させないことによって、照合時に鍵のパターンデータが誤って書き換えられることを防止することができる。
【００３０】
鍵と錠とが接点を介して接触したときに、鍵に設けられた出力手段（鍵側パターン回路）から、予め定められた電位の電圧をパターンデータとして鍵と錠との接点に出力する。錠に設けられた制御手段（錠側パターン回路）によって、鍵と錠との接点が予め定められた電位であるか否かをパターンデータとして照合して鍵の正当性を判断し、鍵が正当であると判断された場合には解錠制御処理を行う。これによって、ピッキングによる不正解錠を防止することが可能となる。
【００３１】
一または複数の任意の接点によって錠から鍵へ電源電圧Ｖｃｃを供給し、一または複数の任意の接点によって錠から鍵へ接地電圧ＧＮＤを供給することによって、電源電圧および接地電圧を供給する接点位置を知ることが困難である。これによって、この対応した錠以外の他の手段から鍵に電源電圧を供給することが困難となる。
【００３２】
鍵が錠へ挿入されたときにのみ、鍵の出力手段からパターンデータを出力させることによって、錠と非接触の鍵からは各接点の電位を読み取ることができなくなり、鍵の複製が困難となる。
【００３３】
鍵と錠の一または複数の接点によって錠から鍵に予め定められた電位の電圧を供給し、鍵の出力手段ではその電圧を用いてパターンデータを生成することによって、パターンデータの電位を自由に設定することができる。これによって、パターンデータの複雑性を向上させることができる。
【発明の効果】
【００３４】
本発明によれば、鍵と錠のうち少なくとも錠のパターンデータを自由に変更可能とすることによって、パターンデータを変更して盗難鍵や紛失鍵を無効にすることができ、これらによる不正解錠を防止することができる。
【００３５】
錠のパターンデータの変更は、鍵のパターンデータの変更と同時に行う場合にのみ実行可能とすることによって、解錠可能な鍵が存在しない状態が発生することを防止することができる。
【００３６】
鍵のパターンデータは、鍵に内蔵されたハードウェア回路の回路構成で決定されることによって、鍵のパターンデータの不正読み取りを困難にすることができる。また、錠のパターンデータの照合は、錠に内蔵されたハードウェア回路の回路構成で行うことによって、錠のパターンデータの不正読み取りを困難にすることができる。
【００３７】
鍵のパターンデータの変更は、鍵に内蔵されたハードウェア回路の回路構成を変更することで行うことによって、鍵のパターンデータの不正読み取りを困難にすることができる。また、錠のパターンデータの変更は、錠に内蔵されたハードウェア回路の回路構成を変更することで行うことによって、錠のパターンデータの不正変更を防止することができる。
【００３８】
鍵の照合時は、パターンデータ変更用接点による接触がないことによって、鍵の照合時に誤ってパターンデータが変更されることを防止することができる。
【００３９】
解錠動作は、電気信号によるパターンデータの照合および認証によって行われるため、ピッキングによる不正解錠を防止することができる。
【００４０】
錠が鍵に電源電圧を供給する接点を不明にすることにより、錠以外による鍵への電源電圧の供給を困難にすることができる。
【００４１】
鍵のパターンデータが出力されるのは、鍵が錠へ挿入されたときのみであるため、錠と非接触の鍵から各接点の電位を読み取って鍵が複製されることを防止することができる。
【００４２】
パターンデータの電位は、鍵と錠とによって自由に設定することができるため、パターンの複雑性を向上させることができる。
【発明を実施するための最良の形態】
【００４３】
以下に、本発明の電気錠システムの実施形態について、図面を参照しながら説明する。
【００４４】
図１は、本発明の電気錠システムの実施形態において、鍵が錠の鍵穴へ挿入された状態を示す断面図である。
【００４５】
図１に示すように、電気錠システム３０は、鍵１０と、鍵を挿入するための鍵穴２１を備えた錠２０とを有している。
【００４６】
まず、鍵１０の構成について図２を用いて説明する。
【００４７】
図２は、図１の電気錠システム３０における鍵１０の要部構成を示す断面図である。
【００４８】
図２に示すように、鍵１０は、絶縁体からなる外型１１中に、出力手段としての鍵側パターン回路１２と、鍵側パターン回路１２にそれぞれ接続された錠２０との複数の鍵側接点１３と、書き込み制御用接点としての鍵側パターン回路１２の変更用接点１４とを有している。
【００４９】
本実施形態では、鍵１０と錠２０との解錠時の接点を各１０個有しており、鍵１０には鍵側接点１３として１０個のＡ〜Ｊが設けられている。なお、図２の例では、鍵穴２１への挿入部分の上下両端に鍵側接点１３が５個ずつ並んでいるが、本発明では、鍵１０の形状および鍵側接点１３の位置については特定されるものではない。また、本実施形態では、鍵の外型１１を絶縁体によって構成しているが、各鍵側接点１３が互いに絶縁状態であれば、鍵１０の外型１１を全て絶縁体によって構成する必要はなく、その材料構成は絶縁体だけに限定されない。
【００５０】
鍵側接点１３は、１０個のうちの一つがＶｃｃ入力接点に設定され、他の一つがＧＮＤ入力接点に設定されている。これらのＶｃｃ入力接点およびＧＮＤ入力接点は、鍵１０が錠２０と鍵穴２１内で接触したときに、鍵側パターン回路１２を動作（駆動）させる電源電圧を供給するために用いられる。
【００５１】
鍵側接点１３の１０個のうちＶｃｃ入力接点およびＧＮＤ入力接点以外の接点は、鍵１０が錠２０と接触して鍵側パターン回路１２に電源電圧が供給されて鍵１０が動作したときに、鍵側パターン回路１２の内部構成によって、レベル入力接点およびパターン出力接点のいずれかに設定される。
【００５２】
このうち、レベル入力接点には、錠２０から予め定められた電位の出力電圧が供給される。なお、各レベル入力接点から供給される電圧は、セキュリティ性を向上させるため、全て異なる電位であることが望ましいが、同じ電位であってもよい。
【００５３】
鍵側パターン回路１２は、レベル入力接点、Ｖｃｃ入力接点またはＧＮＤ入力接点から供給された各電位を、その内部構成に応じて、各パターン出力接点からそれぞれパターンデータ（電圧）として出力することによって、これらの各鍵側接点１３にそれぞれ対応した各錠側接点２３をそれぞれ介して、パターンデータを錠２０へ送信する。鍵側パターン回路１２では、特定のレベル入力接点から供給された電位をそのままパターンデータとしてパターン出力接点から出力させてもよいが、パターンデータの複雑性を高めるため、複数のレベル入力接点からの電位を用いてパターンデータとして出力させる電位を作成してもよい。また、鍵側パターン回路１２は、電源電圧Ｖｃｃおよび接地電圧ＧＮＤが供給されることにより、予め定められた電圧をパターンデータとして出力可能とするパターンデータ出力回路（図示せず）を有する。
【００５４】
本実施形態では、その一例として、接点ＡをＶｃｃ入力接点、接点ＢをＧＮＤ入力接点、接点Ｃおよび接点Ｄをレベル入力接点、それ以外の接点Ｅ〜Ｊをパターン出力接点として設定する。接点Ａから電源電圧Ｖｃｃが供給され、接点Ｂから接地電圧ＧＮＤが供給されることによって、接点Ｅおよび接点Ｆから接点Ｃの電位が出力され、接点Ｇおよび接点Ｈから接点Ｄの電位が出力され、接点ＩからＶｃｃの電位が出力され、接点ＪからＧＮＤの電位が出力されるものとする。
【００５５】
このように、鍵１０では、錠２０の錠側接点２３との接触によって錠２０側から鍵側パターン回路１２に電源電圧が供給されなければ、鍵側接点１３のうち各パターン出力接点にパターンデータが出力されないため、鍵１０の各パターン出力接点の電位を調べて複製鍵を作成することは困難である。また、どの接点がＶｃｃ入力接点およびＧＮＤ入力接点であり、どの接点が各パターン出力接点であるかを不明にすることによって、錠２０以外による鍵１０への電源電圧供給が困難となり、鍵複製の困難性をさらに高めることができる。
【００５６】
なお、本実施形態では、Ｖｃｃ入力接点およびＧＮＤ入力接点を一つずつとしたが、セキュリティ性を向上させるために、それぞれ二つ以上としてもよい。また、Ｖｃｃ入力接点とＧＮＤ入力接点との数が同じである必要はなく、異なる数であってもよい。
【００５７】
次に、錠２０の構成について図３を用いて説明する。
【００５８】
図３は、図１の電気錠システム３０における錠２０の要部構成を示す断面図である。
【００５９】
図３に示すように、錠２０は、鍵穴２１と、制御手段としての錠側パターン回路２２と、鍵１０との錠側接点２３と、錠側接点２３を鍵に押し当てるためのスプリング２３ａと、鍵接続用接点２４を有するパターン変更手段としての回路変更システム２４ａと、解錠手段としての解錠システム２５とを有している。
【００６０】
本実施形態では、錠２０は、鍵側接点１３としてＡ〜Ｊに対応する錠側接点２３としてＡ’〜Ｊ’が設けられている。
【００６１】
これらの錠側接点２３のうち、鍵側接点１３のＶｃｃ入力接点およびＧＮＤ入力接点に対応する接点はそれぞれ、Ｖｃｃ供給接点およびＧＮＤ供給接点に設定され、鍵１０と錠２０との接触時に、鍵１０の鍵側パターン回路１２に電源電圧Ｖｃｃおよび接地電圧ＧＮＤを供給する。これにより、鍵側パターン回路１２が駆動して、各パターン出力接点に所定のパターンデータとして各電圧を出力する。
【００６２】
また、錠側パターン回路２２の回路構成は、鍵側パターン回路１２の回路構成と対応しており、複数の錠側接点２３のうち、鍵側接点１３のレベル入力接点に対応する接点は、レベル供給接点に設定され、予め定められた電位をレベル入力接点に供給する。これにより、パターンデータのレベル値を任意の電位に設定することができ、パターンデータの複雑性を高めることができる。
【００６３】
さらに、複数の錠側接点２３のうち、鍵側接点１３のパターン出力接点に対応する接点は、パターン入力接点に設定され、鍵１０の各パターン出力接点からパターンデータ（電圧）の各電圧値をそれぞれ受け取る。錠側パターン回路２２は、受け取ったパターンデータの電圧値を各パターン入力接点毎に照合する。その照合結果が全て一致して、挿入された鍵１０が正当であると認証した場合には、錠側パターン回路２２から解錠システム２５へ解錠制御信号を発信して解錠システム２５を作動させることによって、解錠制御処理を行う。
【００６４】
本実施形態では、その一例として、接点Ａ’がＶｃｃ供給接点、接点Ｂ’がＧＮＤ供給接点、接点Ｃ’および接点Ｄ’がレベル供給接点、それ以外の接点Ｅ’〜Ｊ’がパターン入力接点に設定されている。接点Ｅ’および接点Ｆ’の電位が接点Ｃ’の供給電位と等しく、また、接点Ｇ’および接点Ｈ’の電位が接点Ｄ’の供給電位と等しく、接点Ｉ’の電位が電源電圧Ｖｃｃと等しく、接点Ｊ’の電位がＧＮＤと全て等しい場合に、錠側パターン回路２２から解錠システム２５へ解錠制御信号を発信し、解錠制御信号を受信した解錠システム２５によって解錠動作（解錠制御処理）が行われる。
【００６５】
なお、本実施形態では、電源電圧および特定電位を供給する回路とパターンデータを照合する回路とを錠側パターン回路２２として、一つの回路によって実現しているが、これらは複数の回路によって構成されていてもよい。また、錠側パターン回路２２は、電源電圧、接地電圧およびこれら以外の一または複数の特定電圧の少なくとも電源電圧または特定電圧を供給する電圧供給回路（図示せず）と、鍵からのパターンデータを照合するパターンデータ照合回路（図示せず）とを有するように構成してもよい。
【００６６】
本実施形態において、錠側パターン回路２２は、ＡＬＴＥＲＡ社ＡＣＥＸシリーズをはじめとするフィールドプログラマブルゲートアレイ（ＦＰＧＡ；Ｆｉｅｌｄ  Ｐｒｏｇｒａｍｍａｂｌｅ  Ｇａｔｅ  Ａｒｒａｙ）のように、ハードウェア回路の変更が可能なデバイスなどによって構成されている。この錠側パターン回路２２は、回路変更システム２４ａによってランダムに回路構成を変更することができる。
【００６７】
また、鍵側パターン回路１２も、錠側パターン回路２２と同様に、ハードウェア回路の変更が可能なデバイスなどによって構成されている。この鍵側パターン回路１２は、書き込み制御用接点としての鍵側パターン回路変更用接点１４を鍵接続用接点２４に接続し、回路変更システム２４ａを動作させることによって、錠側パターン回路２２に対応した回路構成に変更することができる。正当な合鍵が必要な場合には、図２に示すような鍵１０を用意して、同様の方法で回路変更システム２４ａを用いて鍵側パターン回路１２の回路構成を変更することによって、合鍵を作製することができる。
【００６８】
このように、錠側パターン回路２２および鍵側パターン回路１２の回路構成を自由に変更可能とすることによって、鍵１０から出力されるパターンデータおよび錠２０で照合に用いられるパターンデータを変更し、盗難鍵や紛失鍵を無効にすることができる。また、錠側パターン回路２２は、鍵接続用接点２４に鍵１０の鍵側パターン回路１２の変更用接点１４を接続し、鍵側パターン回路１２と同時に変更する場合のみ変更可能とすることによって、解錠可能な鍵が存在しない状態を防止することができる。
【００６９】
以上により、本実施形態によれば、鍵１０は、絶縁体からなる外型１１に、鍵側パターン回路１２と、鍵側接点１３と、鍵側回路変更用接点１４を備えている。鍵１０を錠２０の鍵穴２１内に挿入した時に、錠側接点２３はスプリング２３ａにて鍵側接点１３に押し当てられる。錠２０の錠側接点２３は、鍵１０の鍵側接点１３との接触時に、錠側パターン回路２２によって、特定の接点から鍵１０に予め定められた電位の電圧を供給する。電源電圧を供給された鍵１０は、鍵側パターン回路１２を駆動させて、その供給電位に応じた電圧を各接点に供給する。錠２０は、各接点の電位をパターンデータとして取り込んで錠側パターン回路２２で照合し、鍵１０が正当であることを認証した場合には、解錠システム２５に解錠制御信号を発信して解錠制御処理を行う。鍵側パターン回路１２と錠側パターン回路２２の各回路構成は、鍵側パターン回路変更用接点１４を鍵接続用接点２４に接続し、回路変更システム２４ａ動作させることによって自由に変更可能である。これによって、鍵１０の不正複製と、ピッキングおよび盗難鍵や紛失鍵による不正解錠を防止することが可能な電気錠システム３０を得ることができる。
【００７０】
なお、本実施形態では、鍵側パターン回路変更時における鍵１０と錠２０の接点（鍵側パターン回路変更用接点１４と鍵接続用接点２４）が、解錠時における鍵１０と錠２０の接点（鍵側接点１３と錠側接点２３）と同時に接続せず、両接点の接触が同時に発生しないようにして、鍵側パターン回路変更用接点１４を鍵接続用接点２４に接続することで、鍵側パターン回路１２の変更を行っているが、解錠時における鍵１０と錠２０の接点に、鍵側パターン回路変更時における鍵１０と錠２０の接点も含めて、鍵穴２１に鍵１０を挿入したときに鍵側パターン回路１２の変更を行うようにしてもよい。また、鍵側パターン回路１２および錠側パターン回路２２の回路構成の変更は、回路変更システム２４ａによって自動的かつランダムに変更後の回路構成を作製して実行しているが、本発明は、回路構成の作製方法および回路構成変更の実行方法を限定するものではない。
【００７１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００７２】
鍵と錠とを含む電気錠システムの分野において、電気信号によるパターンデータの照合および認証を行うことによって、ピッキングによる不正解錠を防止することができる。また、パターンデータを複雑にしたり、パターンデータの読み取りを困難にすることによって、鍵の不正複製を困難にすることができる。さらに、パターンデータを変更することによって、鍵や錠の交換を必要とせずに、盗難鍵や紛失鍵による不正解錠を防止することができる。このように、本発明は、耐ピッキング性や複製困難性が向上した安全性が高い電気錠システム３０を、盗難や紛失が生じても交換せずに利用することができるため、非常に有用である。
【図面の簡単な説明】
【００７３】
【図１】本発明の電気錠システムの実施形態において、鍵が錠の鍵穴へ挿入された状態を示す断面図である。
【図２】図１の電気錠システムにおける鍵の要部構成を示す断面図である。
【図３】図１の電気錠システムにおける錠の要部構成を示す断面図である。
【符号の説明】
【００７４】
１０  鍵
１１  絶縁体で構成された鍵の外型
１２  鍵側パターン回路
１３  鍵側接点
１４  鍵側パターン回路変更用接点
２０  錠
２１  鍵穴
２２  錠側パターン回路
２３  錠側接点
２３ａ  スプリング
２４  鍵接続用接点
２４ａ  パターン回路変更システム
２５  解錠システム
３０  電気錠システム
【図１】
2005232881.tif 000003
【図２】
2005232881.tif 000004
【図３】
2005232881.tif 000005